(57)【特許請求の範囲】
【請求項１】
液晶表示パネルと、
前記液晶表示パネルを駆動する駆動回路と
を備え、
前記液晶表示パネルは、
正の誘電率異方性を有する液晶材料を主に含む液晶層と、
前記液晶層に接する垂直配向膜と、
前記液晶層を介して互いに対向配置された第１基板および第２基板と、
前記第１基板および前記第２基板の少なくとも一方の基板の表面に設けられ、前記第１
基板の法線と直交または交差する方向に主たる電場を発生させる電極と
を有し、
前記液晶層は、前記液晶層の温度がネマティック相温度領域にある場合には、前記電極による電場の印加に応じて前記液晶層のダイレクターが変位し、前記液晶層の温度が等方相温度領域にある場合には、前記電極による電場の印加に応じて前記液晶層のダイレクターが消失したり誘起したりするようになっており、
前記駆動回路は、第１電圧と、前記第１電圧とは異なる第２電圧とを印加可能であり、
前記第１電圧は、前記液晶層の温度が等方相温度領域にある場合及び前記液晶層の温度がネマティック相温度領域にある場合において、前記液晶表示パネルの透過率が最大、もしくは高い値で飽和している状態の前記液晶層の複屈折となる電圧に設定され、
前記駆動回路が前記第１電圧を前記電極に印加する場合、前記液晶層の温度に拘わりなく、前記第１電圧を前記電極に印加する、液晶表示装置。
【請求項２】
前記駆動回路は、前記第１電圧と、前記第１電圧とは異なる第２電圧との２値で、前記
電極を駆動するようになっている
請求項１に記載の液晶表示装置。
【請求項３】
前記第２電圧は、ゼロボルトまたはゼロボルト近傍の値である
請求項２に記載の液晶表示装置。
【請求項４】
前記液晶表示パネルは、前記第１基板および前記第２基板を介して互いに対向配置され
た一対の偏光板を有する
請求項１に記載の液晶表示装置。
【請求項５】
前記一対の偏光板は、クロスニコル条件を満たし、前記電場の向きに対して４５°吸収
軸がずれた状態となっており、
前記駆動回路は、前記液晶層の温度が等方相温度領域にある場合に前記液晶表示パネル
の光透過率が最大となる電圧または高い値で飽和する範囲内の電圧である第３電圧を、前
記電極に印加することにより、白表示させるようになっている
請求項４に記載の液晶表示装置。
【請求項６】
前記駆動回路は、前記液晶層の温度に拘わりなく、前記第３電圧を前記電極に印加する
ようになっている
請求項５に記載の液晶表示装置。
【請求項７】
前記駆動回路は、前記第３電圧と、前記第３電圧とは異なる第４電圧との２値で、前記
電極を駆動するようになっている
請求項５に記載の液晶表示装置。
【請求項８】
前記駆動回路は、前記第４電圧を前記電極に印加することにより、黒表示させるように
なっている
請求項７に記載の液晶表示装置。
【請求項９】
前記一対の偏光板は、平行ニコル条件を満たし、前記電場の向きに対して９０°吸収軸
がずれた状態となっており、
前記駆動回路は、前記液晶層の温度が等方相温度領域にある場合に前記液晶表示パネル
の光透過率が最小となる電圧または低い値で飽和する範囲内の電圧である第５電圧を、前
記電極に印加することにより、黒表示させるようになっている
請求項４に記載の液晶表示装置。
【請求項１０】
前記駆動回路は、前記液晶層の温度に拘わりなく、前記第５電圧を前記電極に印加する
ようになっている
請求項９に記載の液晶表示装置。
【請求項１１】
前記駆動回路は、前記第５電圧と、前記第５電圧とは異なる第６電圧との２値で、前記
電極を駆動するようになっている
請求項９に記載の液晶表示装置。
【請求項１２】
前記駆動回路は、前記第６電圧を前記電極に印加することにより、白表示させるように
なっている
請求項１１に記載の液晶表示装置。
【請求項１３】
液晶表示装置を表示部として備え、
前記液晶表示装置は、
液晶表示パネルと、
前記液晶表示パネルを駆動する駆動回路と
を有し、
前記液晶表示パネルは、
正の誘電率異方性を有する液晶材料を主に含む液晶層と、
前記液晶層に接する垂直配向膜と、
前記液晶層を介して互いに対向配置された第１基板および第２基板と、
前記第１基板および前記第２基板の少なくとも一方の基板の表面に設けられ、かつ前記
液晶層に対して、前記第１基板の法線と直交または交差する方向に主たる電場を発生させ
る電極と
を有す、
前記液晶層は、前記液晶層の温度がネマティック相温度領域にある場合には、前記電極による電場の印加に応じて前記液晶層のダイレクターが変位し、前記液晶層の温度が等方相温度領域にある場合には、前記電極による電場の印加に応じて前記液晶層のダイレクターが消失したり誘起したりするようになっており、
前記駆動回路は、第１電圧と、前記第１電圧とは異なる第２電圧とを印加可能であり、
前記第１電圧は、前記液晶層の温度が等方相温度領域にある場合及び前記液晶層の温度がネマティック相温度領域にある場合において、前記液晶表示パネルの透過率が最大、もしくは高い値で飽和している状態の前記液晶層の複屈折となる電圧に設定され、
前記駆動回路が前記第１電圧を前記電極に印加する場合、前記液晶層の温度に拘わりなく、前記第１電圧を前記電極に印加する、
電子機器。
【発明の詳細な説明】
【技術分野】
【０００１】
本技術は、液晶層を備える液晶表示パネルおよびそれを備えた液晶表示装置に関する。また、本技術は、上記の液晶表示装置を表示部として備えた電子機器に関する。
【背景技術】
【０００２】
液晶表示装置は、ＣＲＴ（陰極線管）と比較して軽量、薄型、低消費電力という特徴があることから、表示用として多くの電子機器に使用されている。従来の液晶表示装置としては、液晶層に電界を印加する方法で分類すると、縦電界方式のものと横電界方式のものとが知られている。
【０００３】
縦電界方式の液晶表示装置は、液晶層を挟んで配置される一対の電極により、概ね縦方向の電界を液晶分子に印加するものである。この縦電界方式の液晶表示装置としては、ＴＮ（Twisted Nematic）モード、ＳＴＮ（Super Twisted Nematic）モード、ＶＡ（Vertical Alignment）モード、ＭＶＡ（Multi-domain Vertical Alignment）モード、ＥＣＢ（Electrically Controlled Birefringence）モードなどが知られている。
【０００４】
また、横電界方式の液晶表示装置は、液晶層を挟んで配置される一対の基板のうちの一方の内面側に互いに絶縁分離された一対の電極により、概ね横方向（積層面内方向）の電界を液晶分子に対して印加するものである。この横電界方式の液晶表示装置としては、一対の電極が平面視で重ならないＩＰＳ（In-Plane Switching）モードと、一対の電極が平面視で重なるＦＦＳ（Fringe Field Switching）モードとが知られている。
【０００５】
これらの液晶表示装置は、所定方向に配向した液晶層のダイレクターを電界により変えることにより光の透過量を変化させて画像を表示させるようになっている。このような従来例の液晶表示装置の動作原理について図２２を用いて説明する。
【０００６】
なお、図２２（Ａ）は、従来例の縦電界方式の液晶表示装置の模式断面図である。図２２（Ａ）に記載の液晶表示装置は、液晶層に外部電場（電圧）を印加した時に生じる光学位相差の変化を光学素子として用いたものである。図２２（Ｂ）は、図２２（Ａ）に記載の液晶表示装置における光の透過状態を示す図である。図２２（Ｃ）、図２２（Ｄ）は正の誘電率異方性を有するネマティック液晶層における液晶層内のダイレクターの配置状態の一例を示したものである。図２２（Ｃ）は、電圧無印加状態でのダイレクターの配置状態の一例を示したものである。図２２（Ｄ）は、電圧印加状態でのダイレクターの配置状態の一例を示したものである。従来の液晶表示装置のほとんどは、ネマティック液晶のような、ネマティック相−等方相の相転移温度（ＴＮＩ）未満における液晶のダイレクターの配置を変化させることにより表示を行っている。
【０００７】
図２２（Ａ）に示したように、従来の液晶表示装置２００では、アレイ基板２１０とカラーフィルタ基板２２０との間に液晶層２３０が狭持されている。アレイ基板２１０とカラーフィルタ基板２２０の液晶層２３０側に、透明電極２４０，２５０がそれぞれ形成されている。さらに、アレイ基板２１０およびカラーフィルタ基板２２０のそれぞれの外面（液晶層２３０とは反対側の面）に、偏光板２６０，２７０が配置されている。図２２（Ｂ）に示したように、バックライト２８０から、アレイ基板２１０側の偏光板２６０に入射した光は、直線偏光に変換され、この直線偏光には、液晶層２３０を通過する間に位相差が付与される。位相差の付与された光のうち、カラーフィルタ基板２２０側の偏光板２７０の透過軸と平行な成分だけが偏光板２７０を透過し、偏光板２７０を透過した光が観察者（図示せず）に視認される。
【０００８】
液晶層２３０内のダイレクターは、電界が無印加状態となっている時には、例えば、図２２（Ｃ）に示したように、透明電極２４０，２５０の表面に形成されている配向膜３１０，３２０の作用により、水平方向に配向している。また、液晶層２３０内のダイレクターは、電界が印加されると、例えば、図２２（Ｄ）に示したように、電界の作用により、垂直方向に配向する。このように、電界の印加状態に応じて、液晶層２３０内のダイレクターの配向状態が変化するので、液晶層２３０を透過する光の位相が変化する。従って、従来の液晶表示装置２００では、一対の透明電極２４０，２５０によって形成される電界と偏光板２７０の透過軸との相互作用によって、光の透過量を制御することにより、所定の画像が表示される。
【０００９】
なお、横電界方式の液晶表示装置は、一対の電極をアレイ基板側に備えているが、一対の電極によって形成される電界と光出射側の偏光板の透過軸との相互作用によって、光の透過量を制御することにより、所定の画像が表示されるという点では、前述の縦電界方式の液晶表示装置と共通している。
【先行技術文献】
【特許文献】
【００１０】
【特許文献１】特開平１１−１８３９３７号公報
【特許文献２】特開２００１−２６５２９８号公報
【特許文献３】特開２００７−３２３０４６号公報
【発明の概要】
【発明が解決しようとする課題】
【００１１】
ところで、上述したような液晶表示装置では、応答速度およびコントラストのさらなる向上が求められている。しかし、従来の液晶表示装置では、高速応答および高コントラストが得られる温度領域が狭く、その温度領域を逸脱すると、応答速度およびコントラストが低下してしまうという問題があった。
【００１２】
本技術はかかる問題点に鑑みてなされたもので、その第１の目的は、高速応答および高コントラストが得られる温度領域を広げることの可能な液晶表示パネルおよびそれを備えた液晶表示装置を提供することにある。また、第２の目的は、上記の液晶表示装置を表示部として備えた電子機器を提供することにある。
【課題を解決するための手段】
【００１３】
本技術による液晶表示パネルは、正の誘電率異方性を有する液晶材料を主に含む液晶層と、液晶層に接する垂直配向膜とを有している。この液晶表示パネルは、さらに、液晶層を介して互いに対向配置された第１基板および第２基板を有するとともに、第１基板および第２基板の少なくとも一方の基板の表面に電極を有している。電極は、液晶層に対して、第１基板の法線と直交または交差する方向に主たる電場を発生させるように構成されている。
【００１４】
本技術による液晶表示装置は、上記の液晶表示パネルと、上記の液晶表示パネルを駆動する駆動回路とを備えたものである。本技術による電子機器は、上記の液晶表示装置を表示部として備えたものである。
【００１５】
本技術による液晶表示パネル、液晶表示装置および電子機器では、電極への電圧印加により、正の誘電率異方性を有する液晶材料を主に含むと共に垂直配向膜に接する液晶層に対して、第１基板の法線と直交または交差する方向に主たる電場が発生する。このとき、液晶層の温度がネマティック相温度領域にある場合には、液晶層のダイレクターが、電極へ所定の電圧が印加されることにより電場に倣った方向に向きを変え、電極に印加されていた電圧が取り除かれることにより元の向きに戻る。また、液晶層の温度が等方相温度領域にある場合には、液晶層は、電極へ所定の電圧が印加されることにより液体状態（等方相）から液晶状態（ネマティック相）に相転移し、電極に印加されていた電圧が取り除かれることにより元の液体状態（等方相）に戻る。このように、本技術では、ネマティック相温度領域だけでなく、等方相温度領域においても、光透過率の変化を生じさせることができる。ここで、等方相温度領域におけるネマティック相の誘起および消失速度は、ネマティック相温度領域におけるダイレクターの再配置速度よりも大幅に早い。従って、等方相温度領域におけるネマティック相の誘起および消失に基づく光透過率の変化を利用することにより、高速応答が得られる。また、液晶層の温度が等方相温度領域にある場合には、液晶層のダイレクターは消失しており、液晶層には複屈折が発生しない。そのため、液晶層内に異物が混入した場合であっても、液晶層のうち異物の周辺領域に、液晶層のディスクネーションによる光漏れが生じない。従って、等方相温度領域におけるネマティック相の誘起および消失に基づく光透過率の変化を利用した場合であっても、沈んだ黒輝度が得られる。
【００１６】
ところで、本技術において、上述の所定の電圧は、例えば、液晶層の温度が等方相温度領域にある場合に液晶層の複屈折が、液晶層の温度がネマティック相温度領域にある場合の液晶層の複屈折と同一またはほぼ同一となる電圧（第１電圧）に相当していてもよい。また、本技術において、液晶表示パネルが、第１基板および第２基板を介して互いに対向配置された一対の偏光板を有していてもよい。ここで、一対の偏光板が、クロスニコル条件を満たし、電場の向きに対して４５°吸収軸がずれた状態となっている場合には、上述の所定の電圧は、例えば、液晶層の温度が等方相温度領域にある場合に液晶表示パネルの光透過率が最大となる電圧または高い値で飽和する範囲内の電圧（第３電圧）に相当していてもよい。また、一対の偏光板が、平行ニコル条件を満たし、電場の向きに対して９０°吸収軸がずれた状態となっている場合には、上述の所定の電圧は、例えば、液晶層の温度が等方相温度領域にある場合に液晶表示パネルの光透過率が最小となる電圧または低い値で飽和する範囲内の電圧（第５電圧）に相当していてもよい。
【００１７】
また、本技術において、駆動回路は、上記の第１電圧、上記の第３電圧または上記の第５電圧と、それとは異なる電圧との２値で、電極を駆動するようになっていてもよい。
【発明の効果】
【００１８】
本技術による液晶表示パネル、液晶表示装置および電子機器によれば、ネマティック相温度領域だけでなく等方相温度領域も利用できるようにしたので、高速応答および高コントラストが得られる温度領域を広げることができる。
【００１９】
また、本技術では、液晶層の温度がネマティック相温度領域および等方相温度領域のいずれの温度領域にある場合であっても、第１電圧、第３電圧または第５電圧を電極に印加することで、表示パネルの光透過率をほぼ同一に制御することができる。これにより、液晶層の温度に拘わりなく、同一の駆動条件で、表示パネルを駆動することができる。つまり、本技術では、通常よりも高い電圧を電極に印加することにより、温度検出器がなくても、高速応答および高コントラストが得られる温度領域を広げることができる。その結果、液晶表示装置の構成を簡素化することができる。
【図面の簡単な説明】
【００２０】
【図１】第１の実施の形態に係る液晶表示パネルの構成の一例を示す図である。
【図２】第１の実施の形態に係る液晶表示装置の構成の一例を示す図である。
【図３】図１の液晶層の状態の一例を示す図である。
【図４】図１の液晶層の状態の他の例を示す図である。
【図５】図１の液晶表示パネルの光透過率の一例を示す図である。
【図６】比較例（１）の光透過率の一例を示す図である。
【図７】液晶層の配向が垂直方向のタイプの液晶表示装置の光透過率の一例を示す図である。
【図８】応答速度の一例を示す図である。
【図９】第２の実施の形態に係る液晶表示装置の構成の一例を示す図である。
【図１０】第３の実施の形態に係る液晶表示装置の構成の一例を表す図である。
【図１１】図１０の液晶表示パネルの光透過率の一例を示す図である。
【図１２】図１０の液晶表示装置の構成の一変形例を示す図である。
【図１３】第４の実施の形態に係る液晶表示パネルの構成の一例を表す図である。
【図１４】第４の実施の形態に係る液晶表示装置の構成の一例を示す図である。
【図１５】図１３の液晶層の状態の一例を示す図である。
【図１６】図１３の液晶層の状態の他の例を示す図である。
【図１７】図１３の液晶表示パネルの光透過率の一例を示す図である。
【図１８】図１４の液晶表示装置の構成の一変形例を示す図である。
【図１９】一適用例に係る電子機器の構成の一例を表す斜視図である。
【図２０】図１の液晶表示パネルの光透過率の他の例を示す図である。
【図２１】図１３の液晶表示パネルの光透過率の他の例を示す図である。
【図２２】従来の液晶表示装置の構成の一例を表す模式図である。
【発明を実施するための形態】
【００２１】
以下、発明を実施するための形態について、図面を参照して詳細に説明する。なお、説明は以下の順序で行う。
１．第１の実施の形態（液晶表示装置）
垂直配向・横電界制御で表示が行われる例
温度判別回路が設けられている例
２．第２の実施の形態（液晶表示装置）
垂直配向・横電界制御で表示が行われる例
温度制御回路が設けられている例
３．第３の実施の形態（液晶表示装置）
垂直配向・横電界制御で表示が行われる例
温度検出が行われていない例
４．第３の実施の形態の変形例（液晶表示装置）
垂直配向・横電界制御で表示が行われる例
温度判別回路が設けられている例
５．第４の実施の形態（液晶表示装置）
水平配向・縦電界制御で表示が行われる例
温度検出が行われていない例
６．第４の実施の形態の変形例（液晶表示装置）
水平配向・縦電界制御で表示が行われる例
温度判別回路が設けられている例
７．適用例
上記各実施の形態の液晶表示装置が表示部として用いられている例
８．変形例
偏光板が平行ニコル条件を満たしている例
【００２２】
＜１．第１の実施の形態＞
［構成］
図１は、第１の実施の形態に係る液晶表示パネル１０の構成の一例を示す断面図である。
【００２３】
液晶表示パネル１０は、対向する２つの絶縁性を備える透明基板１１，１２と、透明基板１１，１２の間に挟まれた液晶層１３とを有する。透明基板１１，１２は、例えば、ガラスで構成されている。
【００２４】
液晶表示パネル１０は、透明基板１１における透明基板１２と対向する表面１１ａ上に、液晶層１３に接する配向膜１４を有する。配向膜１４は、液晶層１３の配向を垂直方向に規制する垂直配向膜である。垂直配向膜は、例えば、ポリイミド膜、または斜方蒸着膜で構成されている。なお、斜方蒸着膜は、無機配向膜であり、例えば、ＳｉＯｘを含んで構成されている。液晶表示パネル１０は、さらに、透明基板１１の表面１１ａ上に、複数の電極１５を有する。複数の電極１５は、電圧が供給されることで、透明基板１１の法線と直交または交差する方向（つまり横方向）の電界を液晶層１３に発生させ、液晶層１３の配向方向を変化させるようになっている。各電極１５は、例えば、透明基板１１の表面１１ａと平行な面内の一の方向に延在する帯状の形状となっており、互いに隣り合う２つの電極１５間に電位差を発生させることにより、液晶層１３に、横方向に主たる電場を発生させることができるようになっている。液晶表示パネル１０は、透明基板１１における表面１１ａとは反対側の表面１１ｂ上に、偏光板１６を有する。
【００２５】
液晶表示パネル１０は、透明基板１２における透明基板１１と対向する表面１２ａ上に、液晶層１３に接する配向膜１７を有する。配向膜１７は、液晶層１３の配向を垂直方向に規制する垂直配向膜である。垂直配向膜は、例えば、ポリイミド膜、または斜方蒸着膜で構成されている。なお、斜方蒸着膜は、無機配向膜であり、例えば、ＳｉＯｘを含んで構成されている。液晶表示パネル１０は、透明基板１２における表面１２ａとは反対側の表面１２ｂ上に、偏光板１８を有する。ここで、偏光板１６と偏光板１８とは、クロスニコル条件を満たし、電極１５に対して、４５°吸収軸がずれた状態となっている。
【００２６】
このように、液晶表示パネル１０の構成は、ＶＡモードの液晶層１３を横電界で駆動するＶＡ−ＩＰＳモードとなっている。ここで、透明基板１１と透明基板１２との間隔は、例えば、３μｍである。互いに隣り合う２つの電極１５の間の間隔は、例えば、１０μｍである。電極１５の幅は、例えば、５μｍである。電極１５の高さは、例えば、０．５μｍである。
【００２７】
液晶層１３は、正の誘電率異方性を有するネマティック液晶によって構成されている。液晶層１３は、所定の相転移温度（ＴＮＩ）を有し、相転移温度よりも低い温度のときは、ネマティック相となり、相転移温度以上のときは、液体相である等方相となる。液晶層１３は、例えば、４−シアノ−４’ペンチルビフエニル（4-cyano-4' pentylbiphenyl）（以下、「５ＣＢ」と表す）を含む。「５ＣＢ」の相転移温整度は、３５℃である。液晶層１３は、５ＣＢとは異なる液晶材料によって構成されていてもよい。
【００２８】
等方相温度領域においては、液晶層１３は等方相として存在しているため、液晶層１３を透過する光は何等の影響も受けない。偏光板１６，１８は、クロスニコル配置されているので、一方の偏光板１６を透過して直線偏光に変換された光は、他方の偏光板１８を透過することができない。
【００２９】
しかしながら、電極１５に電圧を供給して、液晶層１３に電界を印加すると、ネマティック相が誘起される。このネマティック相を通過する光には、電気光学的カー効果により位相変化が生じるので、一方の偏光板１６を透過して直線偏光に変換された光は、ネマティック相を透過する間に位相が変化するので、他方の偏光板１８を透過することができるようになる。従って、液晶表示パネル１０は、ノーマリーブラック型となっている。
【００３０】
次に、液晶表示パネル１０を用いた液晶表示装置について説明する。図２は、第１の実施の形態に係る液晶表示装置３０の一例を示した図である。液晶表示装置３０は、液晶表示パネル１０と、温度判別回路３１と、駆動回路３２と、温度検出器３３と、バックライト（図示せず）とを有する。
【００３１】
バックライトは、液晶表示パネル１０を背後（偏光板１１）側から照明するものである。バックライトは、例えば、並列配置された複数の線状光源の上に複数の光学シートが設けられた直下型の光源である。なお、バックライトは、例えば、導光板の端面に線状光源が設けられるとともに導光板の上面に複数の光学シートが設けられたサイドエッジ型の光源であってもよい。
【００３２】
温度検出器３３は、液晶層１３の温度を検出し、検出信号を温度判別回路３１に出力するようになっている。温度判別回路３１は、受信した検出信号に基づき、液晶層１３の温度が、相転移温度未満であるか、または、相転移温度以上であるかを判別するようになっている。さらに、温度判別回路３１は、判別結果を駆動回路３２に出力するようになっている。
【００３３】
駆動回路３２は、受信した判別結果に基づいて、液晶表示パネル１０の電極１５に、所定の電圧を供給するようになっている。すなわち、液晶層１３の温度が、相転移温度未満である場合、つまり、液晶層１３がネマティック相である場合、駆動回路３２は、液晶層１３のダイレクターの方向の変化に基づく光透過率の変化が生じる電圧を電極１５に供給するようになっている。
【００３４】
また、液晶層１３の温度が、相転移温度以上である場合、つまり、液晶層１３が等方相である場合、駆動回路３２は、ネマティック相の誘起および消失現象に基づく光透過率の変化が生じる電圧を電極１５に供給するようになっている。
【００３５】
ここで、ネマティック相の誘起および消失現象に基づく光透過率の変化が生じる電圧（例えば、１００Ｖ）は、ダイレクターの方向の変化に基づく光透過率の変化が生じる電圧（例えば、１０Ｖ）よりも大きい。
【００３６】
このように、駆動回路３２が、受信した判別結果に基づいて、液晶表示パネル１０の電極１５に所定の電圧を供給することで、液晶表示装置３０は、ネマティック相温度領域および等方相温度領域の両方の範囲で駆動することができるようになっている。
【００３７】
［動作］
次に、液晶表示パネル１０の液晶層１３の状態について説明する。図３（Ａ）〜（Ｄ）、図４（Ａ）〜（Ｄ）は、第１の実施の形態に係る液晶層１３の状態の一例を示す図である。図３は、液晶層１３がネマティック相温度領域にある場合の図である。図３（Ａ），（Ｂ）は、電極１５に電圧を供給していない場合を示し、図３（Ｃ），（Ｄ）は、電極１５に電圧を供給している場合を示す。なお、図３（Ａ），（Ｃ）は、断面図であり、図３（Ｂ），（Ｄ）は、平面図である。
【００３８】
図３（Ａ）、（Ｂ）に示すように、電極１５に電圧を供給していない場合、すなわち、液晶層１３に電界が印加されていない場合、液晶層１３のダイレクター１３ａは、垂直方向を向いている。つまり、ダイレクター１３ａの長軸方向が、透明基板１１，１２の表面１１ａ，１２ａと直交する方向に向いている。
【００３９】
図３（Ｃ），（Ｄ）に示すように、電極１５に電圧を供給している場合、すなわち、液晶層１３に横方向の電界１５ａが印加されている場合、液晶層１３のダイレクター１３ａは、横方向を向いている。つまり、ダイレクター１３ａの長軸方向が、透明基板１１，１２の表面１１ａ，１２ａと平行な方向を向いている。
【００４０】
図４（Ａ）〜（Ｄ）は、液晶層１３が等方相温度領域にある場合の図である。図４（Ａ），（Ｂ）は、電極１５に電圧を供給していない場合を示す。図４（Ｃ），（Ｄ）は、電極１５に電圧が供給されている場合を示す。なお、図４（Ａ），（Ｃ）は、断面図であり、図４（Ｂ），（Ｄ）は、平面図である。
【００４１】
図４（Ａ），（Ｂ）に示すように、電極１５に電圧が供給されていない場合、すなわち、液晶層１３に電界が印加されていない場合、液晶層１３は等方相として存在する。つまり、液晶層１３では、ネマティック相が消失している。
【００４２】
図４（Ｃ），（Ｄ）に示すように、電極１５に電圧が供給されている場合、すなわち、液晶層１３に横方向の電界１５ａが印加されている場合、液晶層１３にネマティック相が誘起される。ここで、液晶層１３のダイレクター１３ａは、横方向を向いている。つまり、ダイレクター１３ａの長軸方向が、透明基板１１，１２の表面１１ａ，１２ａと平行な方向を向いている。
【００４３】
次に、液晶表示パネル１０の光透過率について説明する。図５は、液晶表示パネル１０の光透過率の一例を示す図である。図５の横軸は、電極１５に供給する電圧（Ｖ）を示し、図５の縦軸は、液晶表示パネル１０の光透過率（％）を示す。特性１ａは、ネマティック相温度領域における光透過率特性を示し、特性１ｂは、等方相温度領域における光透過率特性を示す。
【００４４】
特性１ａ，１ｂに示されるように、ネマティック相温度領域における上限側の光透過率と、等方相温度領域における上限側の光透過率とは、ほぼ同じ値となっている。この結果から、液晶表示装置３０では、液晶表示パネル１０の偏光板１６，１８のクロスニコルと、液晶層１３の配向軸との関係を考慮することなく、白および黒のスイッチングが可能となる。
【００４５】
［効果］
次に、液晶表示装置３０の効果について、比較例（１）を用いて説明する。比較例（１）は、液晶表示パネルの液晶層の配向が、液晶表示パネル１０とは異なり、平行方向のタイプの液晶表示装置である。
【００４６】
図６（Ａ），（Ｂ）は、比較例（１）の光透過率の一例を示す図である。図６（Ａ），（Ｂ）の横軸は、液晶表示パネルの電極に供給する電圧（Ｖ）を示し、図６（Ａ），（Ｂ）の縦軸は、液晶表示パネルの光透過率（％）を示す。まず、図６（Ａ）に示す例について説明する。
【００４７】
特性２ａ，２ｂは、互いに異なる所定の温度における光透過率特性を示す。特性２ａ，２ｂに示されるように、電圧が０Ｖ付近では、液晶層の配向４１は、クロスニコルの方向４２と重なるため、光透過率は０％に近い。電圧がＶ１の付近では、液晶層の配向４３は、クロスニコルの方向４２と重ならず、光透過率が高い値で飽和する。このとき、光透過率の飽和値は、特性２ａ，２ｂにおいて互いに大きく異なっている。電圧がＶ１よりも高いＶ２付近では、液晶層の配向４４は、クロスニコルの方向４２と重なるため、光透過率は０％に近い。
【００４８】
次に、図６（Ｂ）に示す例について説明する。図６（Ｂ）に示す例では、クロスニコルの方向が図６（Ａ）に示す例と異なっている。特性３ａは、所定の温度における光透過率特性を示す。特性３ａに示されるように、電圧が０Ｖ付近では、液晶層の配向４５は、クロスニコルの方向４６と重ならず、光透過率はピーク値に近い値を指す。電圧がＶ３の付近では、液晶層の配向４７は、クロスニコルの方向４６と重なり、光透過率は０％に近い。電圧がＶ３よりも高いＶ４付近では、液晶層の配向４８は、クロスニコルの方向４６と重ならず、光透過率はピーク値を指す。
【００４９】
このように、液晶層の配向が平行方向となっている場合は、光透過率が上記の特性を備えているので、ネマティック相温度領域と等方相温度領域の両方を用いるようにした場合、液晶層の配向方向と、クロスニコルの方向との関係を工夫する必要がある。
【００５０】
次に、液晶表示パネルの液晶の配向が、液晶表示パネル１０のように、垂直方向となっている液晶表示装置について説明する。図７は、液晶の配向が垂直方向となっている液晶表示装置の光透過率の一例を示す図である。図７の横軸は、液晶表示パネルの電極に供給する電圧（Ｖ）を示し、図７の縦軸は、液晶表示パネルの光透過率（％）を示す。
【００５１】
特性４ａ，４ｂは、互いに異なる所定の温度における光透過率特性を示す。なお、特性４ａの温度はネマティック相温度領域にあり、特性４ｂの温度は等方相温度領域にある。特性４ａの温度では、電圧が０Ｖ付近において、液晶層の配向４９は、垂直方向であり、光透過率は０％に近い。一方、特性４ｂの温度では、電圧が０Ｖ付近において、液晶層は、等方相層となっており、光透過率は０％に近い。特性４ａの温度では、電圧がＶ５の付近において、液晶層の配向５１は、クロスニコルの方向５０と重ならず、光透過率はピーク値を指す。電圧がＶ５よりも高い電圧では、光透過率はピーク値を維持している。一方、特性４ｂの温度では、電圧がＶ６付近において、液晶層にネマティック相が誘起され、液晶層の配向５１は、クロスニコルの方向５０と重ならず、光透過率はピーク値を指す。ここで、特性４ａ，４ｂの双方の温度条件において、光透過率のピーク値は似通っている。
【００５２】
このように、液晶層の配向が垂直方向となっている場合は、光透過率が上記の特性を備えているので、ネマティック相温度領域と等方相温度領域の両方を用いるようにした場合、液晶層の配向方向と、クロスニコルの方向との関係を考慮する必要がない。このため、ラビングレス等の工数削減を行うことができ、歩留まりの向上が期待できる。
【００５３】
すなわち、液晶層の配向が垂直方向となっている場合は、ネマティック相温度領域と等方相温度領域とで、光学特性が似ている。そのため、理想的な黒および白表示の駆動条件を、ネマティック相温度領域および等方相温度領域の双方で共有しやすく、黒浮きも起こりにくいために高コントラスト化を実現できる。
【００５４】
つまり、液晶表示装置３０は、液晶層１３の配向が垂直方向であるため、高コントラスト化を実現でき、歩留まりの向上も期待できる。
【００５５】
次に、液晶表示装置３０の効果について、比較例（２）を用いて説明する。
【００５６】
図８（Ａ），（Ｂ）は、応答速度の一例を示す図である。比較例（２）は、ネマティック相温度領域のみを用いるタイプの液晶表示装置である。液晶表示装置３０のような、ネマティック相温度領域および等方向相温度領域の両方を用いるタイプ（ハイブリットタイプとも称す）では、比較例（２）と比べて、応答速度が高速である。
【００５７】
すなわち、ハイブリットタイプが高速応答化を図れる理由は、相転移温度未満の液晶層における粘性の温度依存性にある。図８（Ａ），（Ｂ）は、ハイブリットタイプおよび比較例（２）における、液晶層の相転移温度（（ＴＮＩ（Ｎ１，Ｎ２））と、使用温度範囲と、そのときの応答速度における温度依存性の概念図である。なお、Ｃ点（Ｃ１，Ｃ２）は、クリスタルポイントを示す。
【００５８】
実際の温度Ｔが相転移温度未満のとき、Ｔ１＝ＴＮＩ−Ｔとしたとき、Ｔ１が大きくなると液晶層の粘性が増大する。応答のrise（Ｔｒ）およびdecay（Ｔｄ）は、以下の式ように表される。
Ｔｒ＝｛γ×ｄ／π2×Ｋｅｆｆ｝（Ｖ／Ｖｔｈ−１）
Ｔｄ＝γ×ｄ／π2×Ｋｅｆｆ
【００５９】
ここで、γは粘性である。ｄはセル厚である。Ｖは電圧である。Ｖｔｈはしきい値電圧である。Ｋｅｆｆは弾性である。
【００６０】
上記の式から、γが増大すれば、応答時間は長くなる、つまり、応答性が遅くなることがわかる。これに対し、ハイブリッドタイプでは、相転移温度の絶対値を下げることが可能となるため、実際の温度が、相転移温度未満の温度でも、比較例（２）に比べて相対的に速い応答性を示すことが可能となる。
【００６１】
つまり、液晶表示装置３０は、ネマティック相温度領域および等方相温度領域の両方を用いるため、応答速度を向上させることが可能となる。また、高コントラスト化に関しては、ハイブリットタイプでは、等方相温度領域において、比較例（２）に比べて、液晶層が複屈折を発生させない。このため、例えば、異物等による凹凸周辺の液晶層のディスクネーションによる光漏れなどが生じないため、比較的低い黒輝度となる。その結果、高コントラストを示す。
【００６２】
次に、液晶表示装置３０の効果について、比較例（３）を用いて説明する。比較例（３）は、等方相温度領域のみを用いるタイプの液晶表示装置である。比較例（３）の場合、等方相温度領域のみを用いるため、表示が可能な温度範囲が狭い。液晶表示装置３０のような、ハイブリットタイプでは、相転移温度未満の温度であっても、表示が可能となるため、広範囲にわたる温度での表示を実現することができる。
【００６３】
以上、説明してきたように、液晶表示装置３０では、応答速度の向上、および、高コントラスト化を実現することが可能となる。
【００６４】
＜２．第２の実施の形態＞
次に、第１の実施の形態の液晶表示パネル１０を用いた他の液晶表示装置を、第２の実施の形態として説明する。
【００６５】
図９は、第２の実施の形態に係る液晶表示装置６０の一例を示す図である。液晶表示装置６０は、液晶表示パネル１０と、温度制御部６１と、駆動モード選択部６２と、駆動回路６３とを有している。液晶表示装置６０は、さらに、温度検出器３３と、ペルチェ素子６４とを有している。
【００６６】
ペルチェ素子６４は、流す直流電流の方向によって一方側の面を発熱状態ないし吸熱状態に制御できる素子である。ペルチェ素子６４は、例えば、図示を省略したサイドライト型のバックライト光源の導光板の背面側に接するように配置されている。
【００６７】
駆動モード選択部６２は、外部からの入力に基づき、等方相温度領域で表示を行うのか、または、ネマティック相温度領域で表示を行うのかを選択するようになっている。温度制御部６１は、駆動モード選択部６２の選択結果に基づいて、液晶表示パネル１０の液晶層１３の温度を調整するようになっている。すなわち、駆動モード選択部６２が等方相温度領域での表示を選択した場合、温度制御部６１は、ペルチェ素子６４を制御して、液晶層１３が等方相温度となるように、液晶層１３の温度を調整するようになっている。液晶層１３の温度の検出には温度検出器３３が用いられる。
【００６８】
また、温度制御部６１は、駆動モード選択部６２がネマティック相温度領域での表示を選択した場合、ペルチェ素子６４を制御して、液晶層１３がネマティック相温度となるように、液晶層１３の温度を調整するようになっている。
【００６９】
駆動回路６３は、駆動モード選択部６２の選択結果に基づいて、液晶表示パネル１０の電極１５に、所定の電圧を供給するようになっている。すなわち、駆動モード選択部６２が等方相温度領域での表示を選択した場合、駆動回路６３は、液晶層１３にネマティック相の誘起および消失現象に基づく光透過率の変化が生じる電圧を、電極１５に供給するようになっている。
【００７０】
また、駆動モード選択部６２がネマティック相温度領域での表示を選択した場合、駆動回路６３は、液晶層１３のダイレクターの方向の変化に基づく光透過率の変化が生じる電圧を、電極１５に供給するようになっている。
【００７１】
このように、駆動回路６３が、駆動モード選択部６２の選択結果に基づいて、液晶表示パネル１０の電極１５に、所定の電圧を供給することで、液晶表示装置６０は、ネマティック相温度領域での表示または等方相温度領域での表示のいずれかを選択することができるようになっている。
【００７２】
＜３．第３の実施の形態＞
[構成]
次に、第１の実施の形態の液晶表示パネル１０を用いた他の液晶表示装置を、第３の実施の形態として説明する。
【００７３】
図１０は、第３の実施の形態に係る液晶表示装置７０の一例を表すものである。液晶表示装置７０は、液晶表示パネル１０と、液晶表示パネル１０を駆動する駆動回路７１と、液晶表示パネル１０を背後から照明するバックライト（図示せず）とを有している。
【００７４】
駆動回路７１は、液晶層１３の温度に拘わりなく、所定の範囲内の電圧（以下、便宜的にＶｘとする。）を、電極１５に印加するようになっている。より詳細には、駆動回路７１は、各電極１５が、例えば、透明基板１１の表面１１ａと平行な面内の一の方向に延在する帯状の形状となっているときに、互いに隣り合う２つの電極１５間にＶｘの電位差を発生させる電圧を各電極１５に印加することにより、白表示させるようになっている。また、駆動回路７１は、液晶層１３の温度に拘わりなく、Ｖｘとは異なる電圧（例えば０Ｖまたは０Ｖ付近の電圧）を印加ことにより、黒表示させるようになっている。
【００７５】
ここで、Ｖｘとは、液晶層１３が等方相温度領域となっているときに液晶表示パネル１０の光透過率が最大となる電圧（もしくは高い値で飽和する電圧範囲のうち最小の電圧）（Ｖ１）（図１１参照）以上の電圧であって、かつ液晶表示パネル１０の光透過率が高い値で飽和する電圧範囲のうち最大の電圧以下の電圧を指している。このＶｘは、液晶層１３の温度が等方相温度領域にある場合に液晶層１３の複屈折が、液晶層１３の温度がネマティック相温度領域にある場合の液晶層１３の複屈折と同一またはほぼ同一となる電圧に相当する。
【００７６】
［効果］
次に、液晶表示装置７０の効果について説明する。液晶層１３は、液晶層１３の温度がネマティック相温度領域にある場合には、図３（Ａ）〜（Ｄ）に示したように、電極１５による電場の印加に応じて液晶層１３のダイレクター１３ａが変位するようになっている。従って、電極１５に電圧が印加されていない場合や電極１５の電圧が０Ｖ付近となっている場合には、液晶層１３の配向は垂直方向となり、液晶表示パネル１０の光透過率は０％に近い。また、電極１５にＶｘ（例えばＶ１）が印加されている場合には、液晶層１３の配向は水平方向であって、かつクロスニコルの方向とは異なる方向となり、液晶表示パネル１０の光透過率は最大となるか、もしくは高い値で飽和している。なお、電極１５にＶｘ（例えばＶ１）が印加されているときの液晶層１３の複屈折をΔｎｘとする。
【００７７】
液晶層１３は、液晶層１３の温度が等方相温度領域にある場合には、図４（Ａ）〜（Ｄ）に示したように、電極１５による電場の印加に応じて液晶層１３のダイレクター１３ａが消失したり誘起したりするようになっている。従って、電極１５に電圧が印加されていない場合や電極１５の電圧が０Ｖ付近となっている場合には、液晶層１３は無配向状態となり、液晶表示パネル１０の光透過率は０％に近い。また、電極１５にＶｘ（例えばＶ１）が印加されている場合には、液晶層１３の配向が水平方向であって、かつクロスニコルの方向とは異なる方向に誘起され、液晶表示パネル１０の光透過率は最大となるか、もしくは高い値で飽和している。電極１５にＶｘ（例えばＶ１）が印加されているとき、液晶層１３には複屈折が生じており、その値は、Δｎｘと同一またはほぼ同等である。
【００７８】
このように、液晶層１３の温度がネマティック相温度領域および等方相温度領域のいずれの領域であったとしても、電極１５に電圧が印加されていない場合や電極１５の電圧が０Ｖ付近となっている場合には、液晶表示パネル１０の光透過率は０％に近い。さらに、電極１５にＶｘ（例えばＶ１）が印加されている場合には、光透過率は最大となるか、もしくは高い値で飽和している。すなわち、例えば、電極１５が０ボルトもしくは０Ｖ付近の電圧と、Ｖｘ（例えばＶ１）ボルトとの２値で駆動されている場合には、ネマティック相温度領域と等方相温度領域とで、光学特性が似通っている。そのため、電極１５を上記の２値で駆動することにより、ネマティック相温度領域と等方相温度領域とで、理想的な黒表示および白表示を共有することができる。また、黒表示時には、液晶層１３の配向は垂直方向となっているので、黒浮きが起こりにくい。
【００７９】
以上をまとめると、本実施の形態では、液晶層１３の温度が等方相温度領域にある場合にＶｘ（例えばＶ１）が電極１５に印加される。これにより、液晶層１３の温度が等方相温度領域にある場合には、Ｖｘ（例えばＶ１）が電極１５に印加されることにより液体状態（等方相）から液晶状態（ネマティック相）に相転移し、電極１５に印加されていた電圧を取り除くことにより元の液体状態（等方相）に戻る。このように、本実施の形態では、ネマティック相温度領域だけでなく、等方相温度領域においても、光透過率の変化を生じさせることができる。ここで、等方相温度領域におけるネマティック相の誘起および消失速度は、ネマティック相温度領域におけるダイレクターの再配置速度よりも大幅に早い。従って、等方相温度領域におけるネマティック相の誘起および消失に基づく光透過率の変化を利用することにより、高速応答が得られる。また、液晶層１３の温度が等方相温度領域にある場合には、液晶層１３のダイレクターは消失しており、液晶層１３には複屈折が発生しない。そのため、液晶層１３内に異物が混入した場合であっても、液晶層１３のうち異物の周辺領域に、液晶層１３のディスクネーションによる光漏れが生じない。従って、等方相温度領域におけるネマティック相の誘起および消失に基づく光透過率の変化を利用した場合であっても、沈んだ黒輝度が得られる。以上のことから、本実施の形態では、電極１５を０ボルトもしくは０Ｖ付近の電圧と、Ｖｘ（例えばＶ１）ボルトとの２値で駆動することにより、ネマティック相温度領域だけでなく等方相温度領域においても、高速応答および高コントラストを得ることができる。従って、広い温度範囲で、高速応答および高コントラストを実現できる。
【００８０】
なお、本実施の形態において、駆動回路７１が、外部から入力された映像信号に基づいて、Ｖｘ（例えばＶ１）の出力時間を変調したり、Ｖｘ（例えばＶ１）の出力回数を変調したりするようになっていてもよい。このようにした場合には、白表示および黒表示だけでなく、中間階調の表示を得ることができる。
【００８１】
＜４．第３の実施の形態の変形例＞
図１２は、第３の実施の形態に係る液晶表示装置７０の一変形例を表すものである。本変形例に係る液晶表示装置７０は、第３の実施の形態に係る液晶表示装置７０に、温度検出器３３および温度判別回路３１を加えたものに相当する。
【００８２】
温度検出器３３は、液晶層１３の温度を検出し、検出信号を温度判別回路３１に出力するようになっている。温度判別回路３１は、受信した検出信号に基づき、液晶層１３の温度が、相転移温度未満であるか、または、相転移温度以上であるかを判別するようになっている。さらに、温度判別回路３１は、判別結果を駆動回路７１に出力するようになっている。
【００８３】
駆動回路７１は、液晶表示パネル１０の電極１５に、０ボルトもしくは０Ｖ付近の電圧と、Ｖｘ（例えばＶ１）ボルトとの２値の他に、０ボルトもしくは０Ｖ付近の電圧と、Ｖｘ（例えばＶ１）ボルトとの間の大きさの電圧を出力可能になっている。駆動回路７１は、外部から入力された映像信号に基づいて、以下の３種類の電圧のうちいずれかの電圧を出力するようになっている。
（１）０ボルトもしくは０Ｖ付近の電圧
（２）Ｖｘ（例えばＶ１）ボルト
（３）０ボルトもしくは０Ｖ付近の電圧とＶｘ（例えばＶ１）ボルトとの間の大きさの電圧
【００８４】
駆動回路７１は、受信した判別結果に基づいて、液晶表示パネル１０の電極１５に、上記の３種類の電圧のうちいずれかの電圧を供給するようになっている。例えば、駆動回路７１は、液晶層１３の温度が等方相温度領域にある場合に液晶表示パネル１０の光透過率が低い値で飽和する電圧範囲のうち最大の電圧（Ｖ２）（図１１参照）以上の大きさの電圧を電極１５に供給するようになっている。また、例えば、駆動回路７１は、液晶層１３の温度がネマティック相温度領域にある場合に液晶表示パネル１０の光透過率が高い値で飽和する電圧範囲のうち最小の電圧（Ｖ３）（図１１参照）以下の大きさの電圧を供給するようになっている。このようにした場合には、中間階調を得ることができる。
【００８５】
＜５．第４の実施の形態＞
［構成］
図１３は、第４の実施の形態に係る液晶表示パネル２０の構成の一例を示す断面図である。
【００８６】
液晶表示パネル２０は、液晶表示パネル１０と同様、対向する２つの絶縁性を備える透明基板１１，１２と、透明基板１１，１２の間に挟まれた液晶層２１とを有する。
【００８７】
液晶表示パネル２０は、透明基板１１における透明基板１２と対向する表面１１ａ上に、液晶層２１に接する配向膜２２を有する。配向膜２２は、液晶層２１の配向を水平方向に規制する水平配向膜である。水平配向膜は、例えば、ポリイミド膜で構成されている。液晶表示パネル２０は、さらに、透明基板１１の表面１１ａ上に、複数の電極２３を有する。複数の電極２３は、電圧が供給されることで、液晶層２１に縦方向の電界を発生させ、液晶層２１の配向方向を変化させるようになっている。複数の電極２３は、例えば、透明基板１１の表面１１ａと平行な面内に２次元配置されており、後述の電極２４との間に電位差を発生させることにより、液晶層２１に、透明基板１１と直交またはほぼ直交する方向（つまり縦方向）に主たる電場を発生させることができるようになっている。液晶表示パネル２０は、透明基板１１における表面１１ａとは反対側の表面１１ｂ上に、偏光板１６を有する。
【００８８】
液晶表示パネル２０は、透明基板１２における透明基板１１と対向する表面１２ａ上に、電極２４を有する。電極２４は、面内全体に渡って形成されたシート状の電極であり、各電極２３と対向する位置に配置されている。従って、電極２４は、各電極２３に対する共通電極として機能する。液晶表示パネル２０は、さらに、電極２４上に、液晶層２１に接する配向膜２５を有する。配向膜２５は、液晶層２１の配向を水平方向に規制する水平配向膜である。水平配向膜は、例えば、ポリイミド膜で構成されている。液晶表示パネル２０は、透明基板１２における表面１２ａとは反対側の表面１２ｂ上に、偏光板１８を有する。ここで、偏光板１６と偏光板１８とは、クロスニコル条件を満たし、電極２３に対して、４５°吸収軸がずれた状態となっている。
【００８９】
液晶層２１は、負の誘電率異方性を有するネマティック液晶によって構成されている。液晶層２１は、所定の相転移温度（ＴＮＩ）を有し、相転移温度よりも低い温度のときは、ネマティック相となり、相転移温度以上のときは、液体相である等方相となる。
【００９０】
等方相温度領域においては、液晶層２１は等方相として存在しているため、液晶層２１を透過する光は何等の影響も受けない。偏光板１６，１８は、クロスニコル配置されているので、一方の偏光板１６を透過して直線偏光に変換された光は、他方の偏光板１８を透過することができない。
【００９１】
しかしながら、電極２３に電圧を供給して、液晶層２１に電界を印加すると、ネマティック相が誘起される。このネマティック相を通過する光には、電気光学的カー効果により位相変化が生じるので、一方の偏光板１６を透過して直線偏光に変換された光は、ネマティック相を透過する間に位相が変化するので、他方の偏光板１８を透過することができるようになる。従って、液晶表示パネル２０は、ノーマリーブラック型となっている。
【００９２】
次に、液晶表示パネル２０を用いた液晶表示装置について説明する。図１４は、第４の実施の形態に係る液晶表示装置８０の一例を示した図である。液晶表示装置８０は、液晶表示パネル２０と、液晶表示パネル２０を駆動する駆動回路８１と、液晶表示パネル２０を背後から照明するバックライト（図示せず）とを有する。
【００９３】
次に、駆動回路８１について説明する。駆動回路８１は、液晶層２１の温度に拘わりなく、所定の範囲内の電圧（以下、便宜的にＶｙとする。）を、電極２３に印加するようになっている。より詳細には、駆動回路８１は、電極２３と電極２４との間にＶｙの電位差を発生させる電圧を各電極２３に印加することにより、黒表示させるようになっている。また、駆動回路８１は、液晶層２１の温度に拘わりなく、Ｖｙとは異なる電圧（例えば０Ｖまたは０Ｖ付近の電圧）を印加ことにより、白表示させるようになっている。
【００９４】
ここで、Ｖｙとは、液晶表示パネル２０の光透過率が最大となる電圧（もしくは高い値で飽和する電圧範囲のうち最小の電圧）（Ｖ４）（図１７参照）以上の電圧であって、かつ液晶表示パネル２０の光透過率が高い値で飽和する電圧範囲のうち最大の電圧以下の電圧を指している。このＶｙは、液晶層２１の温度が等方相温度領域にある場合に液晶層２１の複屈折が、液晶層２１の温度がネマティック相温度領域にある場合の液晶層２１の複屈折と同一またはほぼ同一となる電圧に相当する。
【００９５】
［動作］
次に、液晶表示パネル２０の液晶層２１の状態について説明する。図１５（Ａ）〜（Ｄ）、図１６（Ａ）〜（Ｄ）は、液晶層２１の状態の一例を示す図である。図１５（Ａ）〜（Ｄ）は、液晶層２１がネマティック相温度領域にある場合の図である。図１５（Ａ），（Ｂ）は、電極２３に電圧を供給していない場合を示し、図１５（Ｃ），（Ｄ）は、電極２３に電圧を供給している場合を示す。なお、図１５（Ａ），（Ｃ）は、断面図であり、図１５（Ｂ），（Ｄ）は、平面図である。
【００９６】
図１５（Ａ）、（Ｂ）に示すように、電極２３に電圧を供給していない場合、すなわち、液晶層２１に電界が印加されていない場合、液晶層２１のダイレクター２１ａは、垂直方向を向いている。つまり、ダイレクター２１ａの長軸方向が、透明基板１１，１２の表面１１ａ，１２ａと直交する方向に向いている。
【００９７】
図１５（Ｃ），（Ｄ）に示すように、電極２３に電圧を供給している場合、すなわち、液晶層２１に縦方向の電界２３ａが印加されている場合、液晶層２１のダイレクター２１ａは、横方向を向いている。つまり、ダイレクター２１ａの長軸方向が、透明基板１１，１２の表面１１ａ，１２ａと平行な方向を向いている。
【００９８】
図１６（Ａ）〜（Ｄ）は、液晶層２１が等方相温度領域にある場合の図である。図１６（Ａ），（Ｂ）は、電極２３に電圧を供給していない場合を示す。図１６（Ｃ），（Ｄ）は、電極２３に電圧が供給されている場合を示す。なお、図１６（Ａ），（Ｃ）は、断面図であり、図１６（Ｂ），（Ｄ）は、平面図である。
【００９９】
図１６（Ａ），（Ｂ）に示すように、電極２３に電圧が供給されていない場合、すなわち、液晶層２１に電界が印加されていない場合、液晶層２１は等方相として存在する。つまり、液晶層２１では、ネマティック相が消失している。
【０１００】
図１６（Ｃ），（Ｄ）に示すように、電極２３に電圧が供給されている場合、すなわち、液晶層２１に縦方向の電界２３ａが印加されている場合、液晶層２１にネマティック相が誘起される。ここで、液晶層２１のダイレクター２１ａは、横方向を向いている。つまり、ダイレクター２１ａの長軸方向が、透明基板１１，１２の表面１１ａ，１２ａと平行な方向を向いている。
【０１０１】
次に、液晶表示パネル２０の光透過率について説明する。図１７は、液晶表示パネル２０の光透過率の一例を示す図である。図１７の横軸は、電極２３に供給する電圧（Ｖ）を示し、図１７の縦軸は、液晶表示パネル２０の光透過率（％）を示す。特性５ａは、ネマティック相温度領域における光透過率特性を示し、特性５ｂは、等方相温度領域における光透過率特性を示す。
【０１０２】
特性５ａ，５ｂに示されるように、ネマティック相温度領域における上限側の光透過率と、等方相温度領域における上限側の光透過率とは、ほぼ同じ値となっている。この結果から、液晶表示装置８０では、液晶表示パネル２０の偏光板１６，１８のクロスニコルと、液晶層２１の配向軸との関係を考慮することなく、白および黒のスイッチングが可能となる。
【０１０３】
［効果］
次に、液晶表示装置８０の効果について説明する。液晶層２１は、液晶層２１の温度がネマティック相温度領域にある場合には、図１５（Ａ）〜（Ｄ）に示したように、電極２３による電場の印加に応じて液晶層２１のダイレクター２１ａが変位するようになっている。従って、電極２３に電圧が印加されていない場合や電極２３の電圧が０Ｖ付近となっている場合には、液晶層２１の配向は垂直方向となり、液晶表示パネル２０の光透過率は０％に近い。また、電極２３にＶｙ（例えばＶ４）が印加されている場合には、液晶層２１の配向は水平方向であって、かつクロスニコルの方向とは異なる方向となり、液晶表示パネル２０の光透過率は最大となるか、もしくは高い値で飽和している。なお、電極２３にＶｙ（例えばＶ４）が印加されているときの液晶層２１の複屈折をΔｎｙとする。
【０１０４】
液晶層２１は、液晶層２１の温度が等方相温度領域にある場合には、図１６（Ａ）〜（Ｄ）に示したように、電極２３による電場の印加に応じて液晶層２１のダイレクター２１ａが消失したり誘起したりするようになっている。従って、電極２３に電圧が印加されていない場合や電極２３の電圧が０Ｖ付近となっている場合には、液晶層２１は無配向状態となり、液晶表示パネル２０の光透過率は０％に近い。また、電極２３にＶｙ（例えばＶ４）が印加されている場合には、液晶層２１の配向が水平方向であって、かつクロスニコルの方向とは異なる方向に誘起され、液晶表示パネル２０の光透過率は最大となるか、もしくは高い値で飽和している。電極２３にＶｙ（例えばＶ４）が印加されているとき、液晶層２１には複屈折が生じており、その値は、Δｎｙと同一またはほぼ同等である。
【０１０５】
このように、液晶層２１の温度がネマティック相温度領域および等方相温度領域のいずれの領域であったとしても、電極２３に電圧が印加されていない場合や電極２３の電圧が０Ｖ付近となっている場合には、液晶表示パネル２０の光透過率は０％に近い。さらに、電極２３にＶｙ（例えばＶ４）が印加されている場合には、液晶表示パネル２０の光透過率は最大となるか、もしくは高い値で飽和している。すなわち、例えば、電極２３が０ボルトもしくは０Ｖ付近の電圧と、Ｖｙ（例えばＶ４）ボルトとの２値で駆動されている場合には、ネマティック相温度領域と等方相温度領域とで、光学特性が似通っている。そのため、電極２３を上記の２値で駆動することにより、ネマティック相温度領域と等方相温度領域とで、理想的な黒表示および白表示を共有することができる。また、黒表示時には、液晶層２１の配向は垂直方向となっているので、黒浮きが起こりにくい。
【０１０６】
以上をまとめると、本実施の形態では、液晶層２１の温度が等方相温度領域にある場合にＶｙ（例えばＶ４）が電極２３に印加される。これにより、液晶層２１の温度が等方相温度領域にある場合には、Ｖｙ（例えばＶ４）が電極２３に印加されることにより液体状態（等方相）から液晶状態（ネマティック相）に相転移し、電極２３に印加されていた電圧を取り除くことにより元の液体状態（等方相）に戻る。このように、本実施の形態では、ネマティック相温度領域だけでなく、等方相温度領域においても、光透過率の変化を生じさせることができる。ここで、等方相温度領域におけるネマティック相の誘起および消失速度は、ネマティック相温度領域におけるダイレクターの再配置速度よりも大幅に早い。従って、等方相温度領域におけるネマティック相の誘起および消失に基づく光透過率の変化を利用することにより、高速応答が得られる。また、液晶層２１の温度が等方相温度領域にある場合には、液晶層２１のダイレクターは消失しており、液晶層２１には複屈折が発生しない。そのため、液晶層２１内に異物が混入した場合であっても、液晶層２１のうち異物の周辺領域に、液晶層２１のディスクネーションによる光漏れが生じない。従って、等方相温度領域におけるネマティック相の誘起および消失に基づく光透過率の変化を利用した場合であっても、沈んだ黒輝度が得られる。以上のことから、本実施の形態では、電極２３を０ボルトおよびＶｙ（例えばＶ４）ボルト以上の電圧の２値で駆動することにより、ネマティック相温度領域だけでなく等方相温度領域においても、高速応答および高コントラストを得ることができる。従って、広い温度範囲で、高速応答および高コントラストを実現できる。
【０１０７】
なお、本実施の形態において、駆動回路８１が、外部から入力された映像信号に基づいて、Ｖｙ（例えばＶ４）の出力時間を変調したり、Ｖｙ（例えばＶ４）の出力回数を変調したりするようになっていてもよい。このようにした場合には、白表示および黒表示だけでなく、中間階調の表示を得ることができる。
【０１０８】
＜６．第４の実施の形態の変形例＞
図１８は、第４の実施の形態に係る液晶表示装置８０の一変形例を表すものである。本変形例に係る液晶表示装置８０は、第４の実施の形態に係る液晶表示装置８０に、温度検出器３３および温度判別回路３１を加えたものに相当する。
【０１０９】
温度検出器３３は、液晶層２１の温度を検出し、検出信号を温度判別回路３１に出力するようになっている。温度判別回路３１は、受信した検出信号に基づき、液晶層２１の温度が、相転移温度未満であるか、または、相転移温度以上であるかを判別するようになっている。さらに、温度判別回路３１は、判別結果を駆動回路８１に出力するようになっている。
【０１１０】
駆動回路８１は、液晶表示パネル２０の電極２３に、０ボルトもしくは０Ｖ付近の電圧と、Ｖｙ（例えばＶ４）ボルトとの２値の他に、０ボルトもしくは０Ｖ付近の電圧とＶｙ（例えばＶ４）ボルトとの間の大きさの電圧を出力可能になっている。駆動回路８１は、外部から入力された映像信号に基づいて、以下の３種類の電圧のうちいずれかの電圧を出力するようになっている。
（１）０ボルトもしくは０Ｖ付近の電圧
（２）Ｖｙ（例えばＶ４）ボルト
（３）０ボルトもしくは０Ｖ付近の電圧とＶｙ（例えばＶ４）ボルトとの間の大きさの電圧
【０１１１】
駆動回路８１は、受信した判別結果に基づいて、液晶表示パネル２０の電極２３に、上記の３種類の電圧のうちいずれかの電圧を供給するようになっている。例えば、駆動回路８１は、液晶層２１の温度が等方相温度領域にある場合に液晶表示パネル２０の光透過率が低い値で飽和する電圧範囲のうち最大の電圧（Ｖ５）（図１７参照）以上の大きさの電圧を電極２３に供給するようになっている。また、例えば、駆動回路８１は、液晶層２１の温度がネマティック相温度領域にある場合に液晶表示パネル２０の光透過率が高い値で飽和する電圧範囲のうち最小の電圧（Ｖ６）（図１７参照）以下の大きさの電圧を供給するようになっている。このようにした場合には、中間階調を得ることができる。
【０１１２】
＜７．適用例＞
次に、上記実施の形態およびその変形例に係る液晶表示装置３０，６０，７０および８０の一適用例について説明する。図１９は、本適用例に係る電子機器１００の概略構成の一例を表す斜視図である。電子機器１００は、携帯電話機であり、例えば、図１９に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【０１１３】
表示装置１１３は、上記各実施の形態およびその変形例に係る液晶表示装置３０，６０，７０または８０と同一の構成を備えている。これにより、表示装置１１３において、広い温度範囲で、高コントラストが得られる。
【０１１４】
なお、上記実施の形態およびその変形例に係る液晶表示装置３０，６０，７０または８０を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【０１１５】
＜８．変形例＞
以上、実施の形態、変形例および適用例を挙げて本技術を説明したが、本技術は実施の形態等に限定されるものではなく、種々の変形が可能である。
【０１１６】
例えば、上記実施の形態では、液晶表示パネル１０，２０はノーマリーブラック型となっていたが、ノーマリーホワイト型となっていてもよい。すなわち、液晶表示パネル１０，２０において、偏光板１６，１８が、電極１５，電極２３に対して、９０°吸収軸がずれた状態で、平行ニコル条件を満たしていてもよい。
【０１１７】
この場合に、駆動回路７１，８１は、液晶層１３，２１の温度に拘わりなく、所定の範囲内の電圧（以下、便宜的にＶｚとする。）を、電極１５（または電極２３，２４）に印加するようになっている。より詳細には、駆動回路７１は、各電極１５が、例えば、透明基板１１の表面１１ａと平行な面内の一の方向に延在する帯状の形状となっているときに、互いに隣り合う２つの電極１５間にＶｚの電位差を発生させる電圧を各電極１５に印加することにより、黒表示させるようになっている。また、例えば、駆動回路８１は、互いに対向する２つの電極２３，２４間にＶｚの電位差を発生させる電圧を各電極２３，２４に印加することにより、黒表示させるようになっている。また、駆動回路７１，８１は、液晶層１３，２１の温度に拘わりなく、Ｖｚとは異なる電圧（例えば０Ｖまたは０Ｖ付近の電圧）を印加ことにより、白表示させるようになっている。
【０１１８】
ここで、Ｖｚとは、液晶層１３，２１が等方相温度領域となっているときに液晶表示パネル１０，２０の光透過率が最小となる電圧もしくは低い値で飽和する電圧範囲のうち最小の電圧（Ｖ１，Ｖ４）（図２０、図２１参照）以上の電圧であって、かつ液晶表示パネル１０，２０の光透過率が低い値で飽和する電圧範囲のうち最大の電圧以下の電圧を指している。このＶｚは、液晶層１３，２１の温度が等方相温度領域にある場合に液晶層１３，２１の複屈折が、液晶層１３，２１の温度がネマティック相温度領域にある場合の液晶層１３，２１の複屈折と同一またはほぼ同一となる電圧に相当する。
【０１１９】
次に、本変形例の効果について説明する。液晶層１３，２１は、液晶層１３，２１の温度がネマティック相温度領域にある場合には、電極１５，２３による電場の印加に応じて液晶層１３，２１のダイレクターが変位するようになっている。従って、電極１５，２３に電圧が印加されていない場合や電極１５，２３の電圧が０Ｖ付近となっている場合には、液晶層１３，２１の配向は垂直方向となり、液晶表示パネル１０の光透過率は最大となるか、もしくは高い値で飽和している（図２０、図２１参照）。また、電極１５，２３にＶｚ（例えばＶ１，Ｖ４）が印加されている場合には、液晶層１３，２１の配向は水平方向であって、かつ平行ニコルの方向とは異なる方向となり、液晶表示パネル１０，２０の光透過率は０％に近い。
【０１２０】
液晶層１３，２１は、液晶層１３，２１の温度が等方相温度領域にある場合には、電極１５，２３による電場の印加に応じて液晶層１３，２１のダイレクターが消失したり誘起したりするようになっている。従って、電極１５，２３に電圧が印加されていない場合や電極１５の電圧が０Ｖ付近となっている場合には、液晶層１３，２１は無配向状態となり、液晶表示パネル１０，２０の光透過率は最大となるか、もしくは高い値で飽和している。また、電極１５にＶｚ（例えばＶ１，Ｖ４）が印加されている場合には、液晶層１３，２１の配向が水平方向であって、かつ平行ニコルの方向とは異なる方向に誘起され、液晶表示パネル１０，２０の光透過率は最大となるか、もしくは高い値で飽和している。電極１５にＶｚ（例えばＶ１，Ｖ４）が印加されているとき、液晶層１３，２１には複屈折が生じており、その値は、液晶層１３，２１の温度がネマティック相温度領域にある場合に電極１５，２３にＶｚが印加されている時の複屈折の値と同一またはほぼ同等である。
【０１２１】
このように、液晶層１３，２１の温度がネマティック相温度領域および等方相温度領域のいずれの領域であったとしても、電極１５，２３に電圧が印加されていない場合や電極１５の電圧が０Ｖ付近となっている場合には、液晶表示パネル１０，２０の光透過率は最大となるか、もしくは高い値で飽和している。さらに、電極１５にＶｚ（例えばＶ１，Ｖ４）が印加されている場合には、光透過率は０％に近い。すなわち、例えば、電極１５が０ボルトもしくは０Ｖ付近の電圧と、Ｖｚ（例えばＶ１，Ｖ４）ボルトとの２値で駆動されている場合には、ネマティック相温度領域と等方相温度領域とで、光学特性が似通っている。そのため、電極１５，２３を上記の２値で駆動することにより、ネマティック相温度領域と等方相温度領域とで、理想的な黒表示および白表示を共有することができる。また、黒表示時には、液晶層１３，２１の配向は垂直方向となっているので、黒浮きが起こりにくい。
【０１２２】
以上をまとめると、本変形例では、液晶層１３，２１の温度が等方相温度領域にある場合にＶｚ（例えばＶ１，Ｖ４）が電極１５，２３に印加される。これにより、液晶層１３，２１の温度が等方相温度領域にある場合には、Ｖｚ（例えばＶ１，Ｖ４）が電極１５，２３に印加されることにより液体状態（等方相）から液晶状態（ネマティック相）に相転移し、電極１５，２３に印加されていた電圧を取り除くことにより元の液体状態（等方相）に戻る。このように、本変形例では、ネマティック相温度領域だけでなく、等方相温度領域においても、光透過率の変化を生じさせることができる。ここで、等方相温度領域におけるネマティック相の誘起および消失速度は、ネマティック相温度領域におけるダイレクターの再配置速度よりも大幅に早い。従って、等方相温度領域におけるネマティック相の誘起および消失に基づく光透過率の変化を利用することにより、高速応答が得られる。また、液晶層１３，２１の温度が等方相温度領域にある場合には、液晶層１３，２１のダイレクターは消失しており、液晶層１３，２１には複屈折が発生しない。そのため、液晶層１３，２１内に異物が混入した場合であっても、液晶層１３，２１のうち異物の周辺領域に、液晶層１３，２１のディスクネーションによる光漏れが生じない。従って、等方相温度領域におけるネマティック相の誘起および消失に基づく光透過率の変化を利用した場合であっても、沈んだ黒輝度が得られる。以上のことから、本変形例では、電極１５，２３を０ボルトおよびＶｚ（例えばＶ１，Ｖ４）の２値で駆動することにより、ネマティック相温度領域だけでなく等方相温度領域においても、高速応答および高コントラストを得ることができる。従って、広い温度範囲で、高速応答および高コントラストを実現できる。
【０１２３】
なお、本変形例において、駆動回路７１，８１が、外部から入力された映像信号に基づいて、電圧Ｖｚ（例えばＶ１，Ｖ４）の出力時間を変調したり、電圧Ｖｚ（例えばＶ１，Ｖ４）の出力回数を変調したりするようになっていてもよい。このようにした場合には、白表示および黒表示だけでなく、中間階調の表示を得ることができる。
【０１２４】
また、本変形例において、温度検出器３３および温度判別回路３１がさらに設けられていてもよい。この場合に、駆動回路７１，８１が、液晶層１３，２１の温度がネマティック相温度領域にある場合に液晶表示パネル１０，２０の光透過率が高い値で飽和する電圧範囲のうち最大の電圧（Ｖ３，Ｖ６）（図２０，図２１参照）と、電圧Ｖｚ（例えばＶ１，Ｖ４）との間の大きさの電圧を出力可能になっていてもよい。また、例えば、駆動回路７１，８１が、液晶層１３，２１の温度が等方相温度領域にある場合に液晶表示パネル１０，２０の光透過率が高い値で飽和する電圧範囲のうち最大の電圧（Ｖ２，Ｖ５）（図２０，図２１参照）と、電圧Ｖｚ（例えばＶ１，Ｖ４）との間の大きさの電圧を出力可能になっていてもよい。このようにした場合にも、中間階調を得ることができる。
【０１２５】
また、例えば、本技術は以下のような構成を取ることができる。
（１）
正の誘電率異方性を有する液晶材料を主に含む液晶層と、
前記液晶層に接する垂直配向膜と、
前記液晶層を介して互いに対向配置された第１基板および第２基板と、
前記第１基板および前記第２基板の少なくとも一方の基板の表面に設けられ、かつ前記液晶層に対して、前記第１基板の法線と直交または交差する方向に主たる電場を発生させる電極と
を備えた
液晶表示パネル。
（２）
前記液晶層は、前記液晶層の温度がネマティック相温度領域にある場合には、前記電極による電場の印加に応じて前記液晶層のダイレクターが変位し、前記液晶層の温度が等方相温度領域にある場合には、前記電極による電場の印加に応じて前記液晶層のダイレクターが消失したり誘起したりするようになっている
（１）に記載の液晶表示パネル。
（３）
液晶表示パネルと、
前記液晶表示パネルを駆動する駆動回路と
を備え、
前記液晶表示パネルは、
正の誘電率異方性を有する液晶材料を主に含む液晶層と、
前記液晶層に接する垂直配向膜と、
前記液晶層を介して互いに対向配置された第１基板および第２基板と、
前記第１基板および前記第２基板の少なくとも一方の基板の表面に設けられ、前記第１基板の法線と直交または交差する方向に主たる電場を発生させる電極と
を有する
液晶表示装置。
（４）
前記液晶層は、前記液晶層の温度がネマティック相温度領域にある場合には、前記電極による電場の印加に応じて前記液晶層のダイレクターが変位し、前記液晶層の温度が等方相温度領域にある場合には、前記電極による電場の印加に応じて前記液晶層のダイレクターが消失したり誘起したりするようになっている
（３）に記載の液晶表示装置。
（５）
前記駆動回路は、前記液晶層の温度が等方相温度領域にある場合に前記液晶層の複屈折が、前記液晶層の温度がネマティック相温度領域にある場合の前記液晶層の複屈折と同一またはほぼ同一となる第１電圧を、前記電極に印加するようになっている
（４）に記載の液晶表示装置。
（６）
前記駆動回路は、前記液晶層の温度に拘わりなく、前記第１電圧を前記電極に印加するようになっている
（５）に記載の液晶表示装置。
（７）
前記駆動回路は、前記第１電圧と、前記第１電圧とは異なる第２電圧との２値で、前記電極を駆動するようになっている
（５）に記載の液晶表示装置。
（８）
前記第２電圧は、ゼロボルトまたはゼロボルト近傍の値である
（７）に記載の液晶表示装置。
（９）
前記液晶表示パネルは、前記第１基板および前記第２基板を介して互いに対向配置された一対の偏光板を有する
（４）に記載の液晶表示装置。
（１０）
前記一対の偏光板は、クロスニコル条件を満たし、前記電場の向きに対して４５°吸収軸がずれた状態となっており、
前記駆動回路は、前記液晶層の温度が等方相温度領域にある場合に前記液晶表示パネルの光透過率が最大となる電圧または高い値で飽和する範囲内の電圧である第３電圧を、前記電極に印加することにより、白表示させるようになっている
（９）に記載の液晶表示装置。
（１１）
前記駆動回路は、前記液晶層の温度に拘わりなく、前記第３電圧を前記電極に印加するようになっている
（１０）に記載の液晶表示装置。
（１２）
前記駆動回路は、前記第３電圧と、前記第３電圧とは異なる第４電圧との２値で、前記電極を駆動するようになっている
（１０）に記載の液晶表示装置。
（１３）
前記駆動回路は、前記第４電圧を前記電極に印加することにより、黒表示させるようになっている
（１２）に記載の液晶表示装置。
（１４）
前記一対の偏光板は、平行ニコル条件を満たし、前記電場の向きに対して９０°吸収軸がずれた状態となっており、
前記駆動回路は、前記液晶層の温度が等方相温度領域にある場合に前記液晶表示パネルの光透過率が最小となる電圧または低い値で飽和する範囲内の電圧である第５電圧を、前記電極に印加することにより、黒表示させるようになっている
（９）に記載の液晶表示装置。
（１５）
前記駆動回路は、前記液晶層の温度に拘わりなく、前記第５電圧を前記電極に印加するようになっている
（１４）に記載の液晶表示装置。
（１６）
前記駆動回路は、前記第５電圧と、前記第５電圧とは異なる第６電圧との２値で、前記電極を駆動するようになっている
（１４）に記載の液晶表示装置。
（１７）
前記駆動回路は、前記第６電圧を前記電極に印加することにより、白表示させるようになっている
（１６）に記載の液晶表示装置。
（１８）
液晶表示装置を表示部として備え、
前記液晶表示装置は、
液晶表示パネルと、
前記液晶表示パネルを駆動する駆動回路と
を有し、
前記液晶表示パネルは、
正の誘電率異方性を有する液晶材料を主に含む液晶層と、
前記液晶層に接する垂直配向膜と、
前記液晶層を介して互いに対向配置された第１基板および第２基板と、
前記第１基板および前記第２基板の少なくとも一方の基板の表面に設けられ、かつ前記液晶層に対して、前記第１基板の法線と直交または交差する方向に主たる電場を発生させる電極と
を有する
電子機器。
【符号の説明】
【０１２６】
１ａ，１ｂ，２ａ，２ｂ，３ａ，４ａ，５ａ，５ｂ…特性、１０，２０…液晶表示パネル、１１，１２…透明基板、１１ａ，１１ｂ，１２ａ，１２ｂ…表面、１３，２１…液晶層、１３ａ，２１ａ…ダイレクター、１４，１７，２３，２５…配向膜、１５，２３，２４…電極、１５ａ，２３ａ…電界、１６，１８…偏光板、３０，６０，７０，８０…液晶表示装置、３１…温度判別回路、３２，７１，８１…駆動回路、３３…温度検出器、４１，４３，４４，４５，４７，４８，４９，５１…配向、４２，４６，５０…方向、６１…温度制御部、６２…駆動モード選択部、６３…駆動回路、１００…電子機器、１１１…本体部、１１２…表示体部、１１３…表示装置、１１４…表示画面、１１５…操作ボタン、１１６…送話部、１１７…受話部。
【図１】
0005681578.tif 000002
【図２】
0005681578.tif 000003
【図３】
0005681578.tif 000004
【図４】
0005681578.tif 000005
【図５】
0005681578.tif 000006
【図６】
0005681578.tif 000007
【図７】
0005681578.tif 000008
【図８】
0005681578.tif 000009
【図９】
0005681578.tif 000010
【図１０】
0005681578.tif 000011
【図１１】
0005681578.tif 000012
【図１２】
0005681578.tif 000013
【図１３】
0005681578.tif 000014
【図１４】
0005681578.tif 000015
【図１５】
0005681578.tif 000016
【図１６】
0005681578.tif 000017
【図１７】
0005681578.tif 000018
【図１８】
0005681578.tif 000019
【図１９】
0005681578.tif 000020
【図２０】
0005681578.tif 000021
【図２１】
0005681578.tif 000022
【図２２】
0005681578.tif 000023